【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
複数のカラーフィルタを備えた撮像素子から得られた画像の少なくとも一つのカラーフィルタに対応する色プレーンの信号レベル、または、該画像から生成される輝度プレーンの信号レベルが、所定の区間において第１の方向に単調増加または単調減少している第１の領域を検出する検出手段と、
撮影光学系の色にじみに関する光学情報および前記第１の領域に関する情報に基づいて、該色にじみが発生している第２の領域を判定する判定手段と、
前記色にじみを低減させるように前記画像を修正する修正手段と、を有し、
前記光学情報は、前記撮影光学系の色にじみが発生する第２の方向に関する情報であり、
前記判定手段は、前記第１の方向と前記第２の方向とを比較することにより前記第２の領域を判定することを特徴とする画像処理装置。
【請求項２】
前記判定手段は、前記第１の方向と前記第２の方向とが互いに一致する場合、前記第１の領域が前記第２の領域であると判定することを特徴とする請求項１に記載の画像処理装置。
【請求項３】
前記光学情報は、前記撮影光学系の色にじみの強度に関する情報であることを特徴とする請求項１または２に記載の画像処理装置。
【請求項４】
前記修正手段は、前記色にじみの強度に関する情報に基づいて、前記画像を修正する強度を変更することを特徴とする請求項３に記載の画像処理装置。
【請求項５】
前記修正手段は、前記第１の方向と前記第２の方向とが複数の方向において互いに一致する場合、該複数の方向における色にじみの強度に関する情報を演算して前記画像を修正することを特徴とする請求項２に記載の画像処理装置。
【請求項６】
前記修正手段は、前記第１の方向と前記第２の方向とが複数の方向において互いに一致する場合、該複数の方向の重心方向における色にじみの強度に関する情報を用いて前記画像を修正することを特徴とする請求項５に記載の画像処理装置。
【請求項７】
撮影条件ごとに前記光学情報を記憶する記憶手段を更に有することを特徴とする請求項１乃至６のいずれか１項に記載の画像処理装置。
【請求項８】
前記撮影条件は、前記撮影光学系の焦点距離、被写体距離、絞り値の少なくとも一つを含むことを特徴とする請求項７に記載の画像処理装置。
【請求項９】
光学像を光電変換する撮像素子と、
複数のカラーフィルタを備えた前記撮像素子から得られた画像の少なくとも一つのカラーフィルタに対応する色プレーンの信号レベル、または、該画像から生成される輝度プレーンの信号レベルが、所定の区間において第１の方向に単調増加または単調減少している第１の領域を検出する検出手段と、
撮影光学系の色にじみに関する光学情報および前記第１の領域に関する情報に基づいて、該色にじみが発生している第２の領域を判定する判定手段と、
前記色にじみを低減させるように前記画像を修正する修正手段と、を有し、
前記光学情報は、前記撮影光学系の色にじみが発生する第２の方向に関する情報であり、
前記判定手段は、前記第１の方向と前記第２の方向とを比較することにより前記第２の領域を判定することを特徴とする撮像装置。
【請求項１０】
撮影光学系を備えたレンズ装置と、
請求項９に記載の撮像装置と、を有することを特徴とする撮像システム。
【請求項１１】
複数のカラーフィルタを備えた撮像素子から得られた画像の少なくとも一つのカラーフィルタに対応する色プレーンの信号レベル、または、該画像から生成される輝度プレーンの信号レベルが、所定の区間において第１の方向に単調増加または単調減少している第１の領域を検出するステップと、
撮影光学系の色にじみに関する光学情報および前記第１の領域に関する情報に基づいて、該色にじみが発生している第２の領域を判定するステップと、
前記色にじみを低減させるように前記画像を修正するステップと、を有し、
前記光学情報は、前記撮影光学系の色にじみが発生する第２の方向に関する情報であり、
前記第１の方向と前記第２の方向とを比較することにより前記第２の領域を判定することを特徴とする画像処理方法。
【請求項１２】
請求項１１に記載の画像処理方法をコンピュータに実行させるように構成されていることを特徴とする画像処理プログラム。
【請求項１３】
請求項１２に記載の画像処理プログラムを記憶していることを特徴とする記憶媒体。
【手続補正２】
【補正対象書類名】明細書
【補正対象項目名】０００８
【補正方法】変更
【補正の内容】
【０００８】
本発明の一側面としての画像処理装置は、複数のカラーフィルタを備えた撮像素子から得られた画像の少なくとも一つのカラーフィルタに対応する色プレーンの信号レベル、または、該画像から生成される輝度プレーンの信号レベルが、所定の区間において第１の方向に単調増加または単調減少している第１の領域を検出する検出手段と、撮影光学系の色にじみに関する光学情報および前記第１の領域に関する情報に基づいて、該色にじみが発生している第２の領域を判定する判定手段と、前記色にじみを低減させるように前記画像を修正する修正手段とを有し、前記光学情報は、前記撮影光学系の色にじみが発生する第２の方向に関する情報であり、前記判定手段は、前記第１の方向と前記第２の方向とを比較することにより前記第２の領域を判定する。
【手続補正３】
【補正対象書類名】明細書
【補正対象項目名】０００９
【補正方法】変更
【補正の内容】
【０００９】
本発明の他の側面としての撮像装置は、光学像を光電変換する撮像素子と、複数のカラーフィルタを備えた前記撮像素子から得られた画像の少なくとも一つのカラーフィルタに対応する色プレーンの信号レベル、または、該画像から生成される輝度プレーンの信号レベルが、所定の区間において第１の方向に単調増加または単調減少している第１の領域を検出する検出手段と、撮影光学系の色にじみに関する光学情報および前記第１の領域に関する情報に基づいて、該色にじみが発生している第２の領域を判定する判定手段と、前記色にじみを低減させるように前記画像を修正する修正手段とを有し、前記光学情報は、前記撮影光学系の色にじみが発生する第２の方向に関する情報であり、前記判定手段は、前記第１の方向と前記第２の方向とを比較することにより前記第２の領域を判定する。
【手続補正４】
【補正対象書類名】明細書
【補正対象項目名】００１１
【補正方法】変更
【補正の内容】
【００１１】
本発明の他の側面としての画像処理方法は、複数のカラーフィルタを備えた撮像素子から得られた画像の少なくとも一つのカラーフィルタに対応する色プレーンの信号レベル、または、該画像から生成される輝度プレーンの信号レベルが、所定の区間において第１の方向に単調増加または単調減少している第１の領域を検出するステップと、撮影光学系の色にじみに関する光学情報および前記第１の領域に関する情報に基づいて、該色にじみが発生している第２の領域を判定するステップと、前記色にじみを低減させるように前記画像を修正するステップとを有し、前記光学情報は、前記撮影光学系の色にじみが発生する第２の方向に関する情報であり、前記第１の方向と前記第２の方向とを比較することにより前記第２の領域を判定する。
【手続補正５】
【補正対象書類名】明細書
【補正対象項目名】００１２
【補正方法】変更
【補正の内容】
【００１２】
本発明の他の側面としての画像処理プログラムは、前記画像処理方法をコンピュータに実行させるように構成されている。